(57)【要約】【目的】  視聴者が現在位置する場所においてその場所に対応した地域的なコマーシャルを視聴者に提示することを可能にしたディジタル放送受信広告情報出力装置を提供する。【構成】  ディジタル放送波には広告情報及び広告地域情報が載せられている。ＣＰＵ１１は、ＧＰＳ受信回路１２やビーコン受信回路１３から出力される復調データに基づいて現在位置を取得し、この現在位置を中心に所定範囲内に存在する広告地域情報を持つ広告情報を取り出す。そして、地域に対応した広告情報がディジタル放送波に存在する場合には、ＣＰＵ１１はＯＳＤ表示回路１２を用い、例えば「広告情報を出力できます」といった文字メッセージをモニタ９表示させる処理を行う。上記メッセージを見て利用者が広告情報の出力を装置３０に対して指示すると、ＣＰＵ１１は番組の映像／音声出力を停止し、ＣＭデータメモリ１４から読み出した広告情報の映像／音声出力を行う。【選択図】        図１
2004201343.tif 000002
【特許請求の範囲】
【請求項１】
ディジタル放送波を受信する受信手段と、映像及び／又は音声を出力する映像・音声出力手段と、ディジタル放送波に載せられている広告情報及び広告地域情報を取り出す手段と、現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とするディジタル放送受信広告情報出力装置。
【請求項２】
ディジタル放送波を受信する第１の受信手段と、映像及び／又は音声を出力する映像・音声出力手段と、ディジタル放送波に載せられている広告情報及び広告地域情報を取り出す手段と、現在位置を特定するのに必要な情報が載せられた送信波を受信する第２の受信手段と、前記送信波に載せられている情報に基づいて現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とするディジタル放送受信広告情報出力装置。
【請求項３】
請求項１又は請求項２に記載のディジタル放送受信広告情報出力装置において、ディジタル放送波から取り出された広告情報及び広告地域情報を記憶する記憶手段を備え、前記選択手段は現在位置情報と広告地域情報との対比によって前記記憶手段に記憶されている広告情報を選択し得るように構成されたことを特徴とするディジタル放送受信広告情報出力装置。
【請求項４】
ディジタル放送波を受信する第１の受信手段と、映像及び／又は音声を出力する映像・音声出力手段と、広告情報及び広告地域情報を記憶している記憶手段と、現在位置を特定するのに必要な情報が載せられた送信波を受信する第２の受信手段と、前記送信波に載せられている情報に基づいて現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とするディジタル放送受信広告情報出力装置。
【発明の詳細な説明】
【技術分野】
【０００１】
この発明は、ディジタル放送を受信して広告情報を利用者に提示することができるディジタル放送受信広告情報出力装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【発明の開示】
【発明が解決しようとする課題】
【０００３】
ところで、従来のテレビ放送におけるコマーシャル（ＣＭ）は、全ての視聴者に同一のものを提示するマスコミュニケーション的なものでり、一部、地方放送局にて地方版のコマーシャルの挿入が行われているに過ぎない。すなわち、視聴者の生活圏に密着した地域的なコマーシャルを連続的に提示するといったことは実現されていない。また、視聴者の居住地の近辺に存在する店舗において突発的にタイムサービスなどを行うにしても、そのことをタイムリーにテレビ放送を通じて視聴者に知らせるといったことも実現されていない。
【０００４】
この発明は、上記の事情に鑑み、視聴者が現在位置する場所においてその場所に対応した地域的なコマーシャルを視聴者に提示することを可能にしたディジタル放送受信広告情報出力装置を提供することを目的とする。
【課題を解決するための手段】
【０００５】
この発明のディジタル放送受信広告情報出力装置は、ディジタル放送波を受信する受信手段と、映像及び／又は音声を出力する映像・音声出力手段と、ディジタル放送波に載せられている広告情報及び広告地域情報を取り出す手段と、現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とする。
【０００６】
上記構成において、当該装置は各家庭等において固定的に設置され、現在位置情報は、例えば利用者によって装置に入力される。放送事業者側では、広告情報及びこれに対応付けた広告地域情報をディジタル放送波に載せて送信を行う。例えば、大阪市に存在する店舗の広告であれば、「大阪市」を示す広告地域情報を付加して送信を行う。当該装置は、現在位置情報と広告地域情報との対比によって広告情報を選択して映像・音声出力を行うので、視聴者が現在位置する場所においてその場所に対応した地域的なコマーシャルが提示されることになる。そして、広告情報が存在する旨のメッセージが出力され、利用者によって広告出力操作がなされたときに選択された広告情報が出力されることになる。すなわち、利用者の意思に基づいて広告情報の映像・音声出力が行われる。
【０００７】
また、この発明のディジタル放送受信広告情報出力装置は、ディジタル放送波を受信する第１の受信手段と、映像及び／又は音声を出力する映像・音声出力手段と、ディジタル放送波に載せられている広告情報及び広告地域情報を取り出す手段と、現在位置を特定するのに必要な情報が載せられた送信波を受信する第２の受信手段と、前記送信波に載せられている情報に基づいて現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とする。
【０００８】
上記構成においては、現在位置情報は、例えば、ＧＰＳ（Ｇｌｏｂａｌ  Ｐｏｓｉｔｉｏｎｉｎｇ  Ｓｙｓｔｅｍ）における衛星や街角に設けられたビーコン送信機からの送信波に基づいて取得される。放送事業者側では、広告情報及びこれに対応付けた広告地域情報をディジタル放送波に載せて送信を行う。例えば、○○町に存在する店舗の広告であれば、「○○町」を示す広告地域情報を付加して送信を行う。受信装置は、広告地域情報と第２の受信手段により取得した現在位置情報との対比によって広告情報を選択して映像・音声出力を行うので、当該装置がバスや自家用車や鉄道車両などの移動体車内に載せられて移動する場合や、携帯型の装置として利用者と共に移動する場合でも、その移動の地においてその場所に対応した地域的なコマーシャルが提示されることになる。そして、広告情報が存在する旨のメッセージが出力され、利用者によって広告出力操作がなされたときに選択された広告情報が出力されることになる。すなわち、利用者の意思に基づいて広告情報の映像・音声出力が行われる。
【０００９】
ディジタル放送波から取り出された広告情報及び広告地域情報を記憶する記憶手段を備え、前記選択手段は現在位置情報と広告地域情報との対比によって前記記憶手段に記憶されている広告情報を選択し得るように構成してもよい。これによれば、例えば、深夜に纏めて放送される広告情報を取得して記憶しておき、昼間において広告情報が放送されていなくても、記憶しておいた広告情報を映像・音声出力するといったことが可能となる。
【００１０】
また、この発明のディジタル放送受信広告情報出力装置は、ディジタル放送波を受信する第１の受信手段と、映像及び／又は音声を出力する映像・音声出力手段と、広告情報及び広告地域情報を記憶している記憶手段と、現在位置を特定するのに必要な情報が載せられた送信波を受信する第２の受信手段と、前記送信波に載せられている情報に基づいて現在位置情報を出力する手段と、現在位置情報と広告地域情報との対比によって広告情報を選択する選択手段と、選択された広告情報を前記映像・音声出力手段に供給する制御手段と、広告情報が存在する旨のメッセージを出力するメッセージ出力手段とを備え、前記制御手段は利用者によって広告出力操作がなされたときに選択された広告情報を前記映像・音声出力手段に供給するように構成されたことを特徴とする。
【００１１】
上記の構成においては、現在位置情報は、例えば、ＧＰＳにおける衛星や街角に設けられたビーコン送信機からの送信波に基づいて取得される。記憶手段には広告情報及びこれに対応付けた広告地域情報が格納されている。例えば、○○町に存在する店舗の広告であれば、「○○町」を示す広告地域情報が対応付けられて記憶されている。受信装置は、広告地域情報と第２の受信手段により取得した現在位置情報との対比によって広告情報を選択して映像・音声出力を行うので、当該装置がバスや自家用車や鉄道車両などの移動体車内に載せられて移動する場合や、携帯型の装置として利用者と共に移動する場合でも、その移動の地においてその場所に対応した地域的なコマーシャルが提示されることになる。そして、広告情報が存在する旨のメッセージが出力され、利用者によって広告出力操作がなされたときに選択された広告情報が出力されることになる。すなわち、利用者の意思に基づいて広告情報の映像・音声出力が行われる。
【発明の効果】
【００１２】
以上説明したように、この発明のディジタル放送受信広告情報出力装置によれば、視聴者が現在位置する場所においてその場所に対応した地域的なコマーシャルをディジタル放送波によって、或いは予め記憶しておいた広告情報に基づいて視聴者に提示することができる。そして、広告情報が存在する旨のメッセージが出力され、利用者によって広告出力操作がなされたときに選択された広告情報が出力されるので、利用者の意思に基づいて広告情報の映像・音声出力が行われることになる。
【発明を実施するための最良の形態】
【００１３】
（実施形態１）
以下、この発明の実施形態を図１に基づいて説明するが、ここではユーザが地上波ディジタル放送を視聴する場合を例示している。図１は地上波ディジタル放送を受信するこの実施形態のディジタル放送受信広告情報出力装置３０を示したブロック図である。
【００１４】
図１において、アンテナ１は地上波放送局から送られてくるディジタル放送信号を受信する。
【００１５】
チューナ２は、映像・音声データを含む高周波ディジタル変調信号のなかから特定周波数の信号を取り出す。また、チューナ２は、逆インタリーブ回路、誤り訂正回路などを備えることにより、選択したディジタル変調信号を復調してトランスポート・ストリームを出力する。
【００１６】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ（Ｐｒｏｇｒａｍ  Ｓｐｅｃｉｆｉｃ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩに含まれるサービス情報（ＳＩ：Ｓｅｒｖｉｃｅ  Ｉｎｆｏｒｍａｔｉｏｎ）などをシステムコントローラ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、ディジタル放送波にはメインチャンネルだけでなく、サブチャンネルが多重されており、ＣＰＵ１１からデマルチプレクサ３にサブチャンネルを選択するようＤＥＭＵＸ制御信号が供給されると、サブチャンネルにおけるビデオトランスポートパケットやオーディオトランスポートパケットが出力される。更に、ディジタル放送波には静止画、文字情報、音声情報を提供するデータ放送も多重されている。番組放送においては、随所にコマーシャル（ＣＭ）が挿入されているが、このコマーシャルとは別の広告情報をサブチャンネルやデータ放送に組み入れることが可能である。勿論、広告情報専門のチャンネルを設けることも可能である。前記ＳＩには広告情報が例えばどのサブチャンネルに存在するかを示す情報、及びどの地域において放送されるべきかを示す広告地域情報（例えば、緯経度情報）を挿入しておく。なお、広告情報の送出側（放送事業者側）では、予め依頼を受けている広告情報を順次送出するだけでなく、突発的な広告依頼に対応できる体制を整えておけば、或る店舗が突発的にタイムサービスなどを行う場合に、そのことを伝える広告情報をタイムリーに放送波に載せることができる。
【００１７】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。なお、図示はしていないがデータ放送デコーダが設けられており、このデータ放送デコーダは、データ放送パケットをデコードして静止画の映像データ、音声データ、及び他の情報を生成する。
【００１８】
映像処理回路５は映像データに対してＤ／Ａ変換を行い、例えばＮＴＳＣフォーマットのコンポジット信号に変換する。音声信号処理回路６は音声データに対してＤ／Ａ変換を行い、右（Ｒ）音のアナログ信号および左（Ｌ）音のアナログ信号を生成する。映像出力回路７及び音声出力回路８は信号増幅器等を備えて成る。モニタ９は映像出力回路７から供給される映像信号に基づいて映像表示を行う。スピーカ１０は音声出力回路８から供給される音声信号に基づいて音声出力を行う。
【００１９】
ＧＰＳ（Ｇｌｏｂａｌ  Ｐｏｓｉｔｉｏｎｉｎｇ  Ｓｙｓｔｅｍ）受信回路１２は、アンテナ１２ａにて受信したＧＰＳ信号を増幅する増幅回路、検波回路、Ａ／Ｄ変換器、データ復調回路などを備えて構成される。ＧＰＳ受信回路１２は復調データをＣＰＵ１１に供給する。
【００２０】
ビーコン受信回路１３は、アンテナ１３ａにて受信したビーコン信号を増幅する増幅回路、検波回路、データ復調回路などを備えて構成される。ビーコン受信回路１３は復調データをＣＰＵ１１に供給する。なお、ビーコン信号を送信する装置は、道路ぎわの建造物や電柱などに設置されている。
【００２１】
ＣＰＵ１１は、復調データに基づいて現在位置情報（例えば、緯経度情報）を算出する。現在位置情報算出のための演算処理プログラムは図示しない記憶部に格納されている。また、ＣＰＵ１１は、ＳＩに含められている広告地域情報を取り出し、この広告地域情報と前記現在位置情報との対比を行う。例えば、両情報が緯経度情報である場合、現在緯経度を中心に所定範囲の円形領域内に前記広告地域情報の緯経度が存在するかを判断する。広告地域情報の緯経度が前記所定範囲内に存在する場合には、当該広告地域情報に対応する広告情報が例えばどのサブチャンネルに存在するかを判断し、このサブチャンネルの広告情報パケットを取り出してＣＭデータメモリ１４に格納する。
【００２２】
また、ＣＰＵ１１は、ＡＶデコーダ４からモード信号を入力している。このモード信号は、放送でＣＭが流れるときに変化するものである。ＣＰＵ１１は、前記モード信号に基づいてＣＭに切り換わったかどうかを判断し、ＣＭに切り換わったと判断したときには、ＣＭデータメモリ１４から広告情報を読み出し、この広告情報をＡＶデコーダ４或いは図示しないデータ放送デコーダに供給し、当該広告情報の映像出力と音声出力の両方又は一方を行わせる。
【００２３】
以上説明したディジタル放送受信広告情報出力装置がバスや自家用車や鉄道車両などの移動体車内に載せられて移動する場合には、現在位置情報は刻々と変化していき、視聴者が現在位置する場所においてその場所に対応した地域的な広告情報が提示されることになる。なお、ＣＭデータメモリ１４を備えずに、現在出力中の放送でＣＭに切り換わったときに、現在放送中の広告情報を現在位置情報に基づいて選択して出力するといった処理を行うことも可能である。すなわち、広告地域情報と現在位置情報との対比によって選択された広告情報を、選択と同時に前記映像／音声出力する構成（モード）も採用できる。幾つかのモードを用意しておき、利用者に選択させることも可能である。また、ＣＭに切り換わることを広告情報の出力タイミングとすることの他、ディジタル放送波に多重されたパイロット信号（出力指示信号）を受信したときを広告情報の出力タイミングとすることができる。或いは、ビーコンを必要時にのみ送信（例えば、タイムサービスの開始するときに送信）する場合であれば、ビーコン信号が出力タイミングを示す信号にもなる。また、サブチャンネルに広告情報を載せることに限らず、メインチャンネルの副音声に広告情報を載せたり、付加情報としてディジタル放送波に多重されているデータ放送に広告情報を載せ、これら広告情報を取り出せるようにしてもよい。また、ＣＭデータメモリ１４を備えた構成であれば、例えば、深夜に纏めて放送される広告情報を取得して記憶しておき、昼間において広告情報が放送されていなくても、記憶しておいた広告情報を映像・音声出力するといったことが可能となる。また、ディジタル放送波に載せられた広告情報を格納するＣＭデータメモリ１４とは別に、ディジタル放送波以外の送信波や有線を用いたデータ転送にて受け取った広告情報及び広告地域情報を記憶する店舗データメモリ１５を備え、この店舗データメモリ１５から広告情報を選択して出力するようにしてもよい。バスや電車などの公共的車両に当該装置を搭載する場合には、店舗データメモリ１５を備えるのがよいであろう。一方、自家用車に搭載するディジタル放送受信広告情報出力装置においては、店舗データメモリ１５は不要であろう。また、ＧＰＳ受信回路１２とビーコン受信回路１３の両方を備える構成を示したが、いずれか一方を備える構成でもよい。また、図１の構成では、未デコード状態の広告情報をＣＭデータメモリ１４に格納しており、このＣＭデータメモリ１４から読み出した未デコード状態の広告情報をＡＶデコーダ４（又は図示しないデータ放送デコーダ）に供給するようにしたが、デコード済みの広告情報をＣＭデータメモリ１４に格納する構成とすれば、このＣＭデータメモリ１４から読み出したデコード状態の広告情報を直接に映像処理回路５又は音声処理回路６に供給することができる。また、図１の構成において、広告情報と共にこれに対応する広告地域情報もＣＭデータメモリ１４に記憶するようにしてもよいものである。広告情報を取得した後でも現在位置情報は刻々と変化しており、ＣＭに切り換わった際には前記所定範囲内から外れてしまっている場合がある。広告情報を読み出す際に、この読み出し時の現在位置情報と記憶しておいた広告地域情報とを対比し、前記所定範囲から外れてしまっている場合には、当該広告情報の出力は行わないよう処理してもよいものである。
【００２４】
図２はディジタル放送受信広告情報出力装置の他の例を示したブロック図である。図２の構成は、図１の構成に加えて、リモコン送信機１６、リモコン受光器１７、ＯＳＤ（オンスクリーンディスプレイ）表示回路１８、加算器１９、及び音声合成回路２０を備えている。この図２のディジタル放送受信広告情報出力装置は、自家用車に搭載するのがよいであろう。また、カーナビゲーションシステムと融合させた装置としてもよい。
【００２５】
ＯＳＤ表示回路１８は、ＣＰＵ１１から出力指示された文字情報に基づくビットマップデータを加算器１９に出力する。加算器１９は前記ビットマップデータを映像信号に組み込む処理を行う。上記ＯＳＤ表示回路１２により、ＣＰＵ１１が受け取ったＳＩに基づくＥＰＧ（Ｅｌｅｃｔｒｏｎｉｃ  Ｐｒｏｇｒａｍ  Ｇｕｉｄｅ）画面表示が実現される他、操作ガイド画面、及び広告情報が存在することを利用者に知らせるためのメッセージ表示（例えば、「広告情報を出力できます」といった文字表示）も行えることになる。
【００２６】
音声合成回路２０は、例えば、「広告情報を出力できます」といった音声データを圧縮格納しているメモリを有しており、ＣＰＵ１１からの指令に従って前記音声データをメモリから読み出して伸長し、この伸長した音声ディジタル信号を音声処理回路６に供給するようになっている。
【００２７】
リモコン送信機１６は、当該ディジタル放送受信広告情報出力装置３０に指令を送出するための送信機である。このリモコン送信機１６に設けられた図示しないキーを操作すると、そのキーに対応した指令を意味する信号光（リモコン信号）が図示しない発光部から送出される。リモコン受光器１７は、前記信号光を受光し、これを電気信号に変換してＣＰＵ１１に与える。
【００２８】
図２の構成においても、図１の構成と同様、地域に対応した広告情報が存在する場合に、放送に付随しているＣＭに代えて前記広告情報を自動的に出力することもできるが、このような自動出力は行わずに、まず、広告情報が存在することを利用者に知らせるためのメッセージ出力を行うこととしている。すわなち、地域に対応した広告情報がディジタル放送波に存在する場合には、ＣＰＵ１１はＯＳＤ表示回路１２を用い、例えば「広告情報を出力できます」といった文字メッセージをモニタ９の表示画面に重ねて、或いは画面の一部を用いて表示させる処理を行う。また、これに代えて或いはこれに加えて、音声合成回路２０を用い、「広告情報を出力できます」といった音声メッセージをスピーカ１０から出力させる処理を行う。
【００２９】
上記メッセージを見て或いは聞いて利用者がリモコン送信機１６を操作して広告情報の出力を装置３０に対して指示すると、ＣＰＵ１１は番組の映像／音声出力を停止し、ＣＭデータメモリ１４から読み出した広告情報の映像／音声出力を行う。或いは、番組の映像に重ねて広告情報を表示したり、番組の音声のみを出力停止して、広告情報の音声出力を行うことになる。
【００３０】
メッセージ表示は、文字メッセージに限らず、所定のマークが画面隅などに間欠的に表示されるといったものでもよい。また、ＯＳＤ表示回路１２を用いず、ＬＥＤ等の発光手段を明滅させ、この明滅を利用者に広告情報の存在を知らせるメッセージとするようにしてもよい。
【００３１】
図１及び図２の構成では、装置３０が（移動体車両が）単に所定範囲の広告圏内に入ったときに広告情報を選択するようにしたが、移動体車両の現在位置に加えて進行方向なども考慮して広告情報を選択するようにしてもよい。
【００３２】
図３はディジタル放送受信広告情報出力装置の他の例を示したブロック図である。図３の構成は、図２の構成において、ＧＰＳ受信回路１２及びビーコン受信回路１３に代えて、現在位置記憶部２１を備えた構成である。この図３は、家庭等に置かれるディジタル放送受信広告情報出力装置を想定している。
【００３３】
現在位置記憶部２１は、例えば、利用者が地域番号に基づいてオートチャンネル設定を行うときに、当該地域番号を現在位置情報として記憶するようにしてもよいし、利用者がリモコン送信機１６を用いて入力した現在位置情報を記憶するようにしてもよい。現在位置情報は緯経度情報に限らず、市町村名情報を表す文字情報とすることもできる。また、市町村名情報の他、郵便番号や電話番号を現在位置情報として利用することもできる。ディジタル放送波に載せられている広告地域情報が市町村名や郵便番号などの場合、市町村名や郵便番号などである現在位置情報をそのままＣＰＵ１１に与えることができる。一方、ディジタル放送波に載せられている広告地域情報が緯経度情報の場合、市町村名や郵便番号などと緯経度情報との対応テーブルを備えることで緯経度情報をＣＰＵ１１に与えることができる。ＣＰＵ１１は、図１や図２の構成と同様、現在位置に対応した広告情報が存在する場合に、放送に付随しているＣＭに代えて前記広告情報を自動的に出力したり、広告情報が存在することを利用者に知らせるためのメッセージ出力を行った後、利用者の操作で広告情報を出力したりすることになる。
【００３４】
なお、以上の説明では、地上波ディジタル放送を視聴する場合を例に説明したが、これに限らず、ＢＳディジタル放送などを視聴する場合にも適用することが可能である。
【図面の簡単な説明】
【００３５】
【図１】この発明の実施形態のディジタル放送受信広告情報出力装置を示したブロック図である。
【図２】ディジタル放送受信広告情報出力装置の他の例を示したブロック図である。
【図３】ディジタル放送受信広告情報出力装置の他の例を示したブロック図である。
【符号の説明】
【００３６】
１    アンテナ
２    チューナ
３    デマルチプレクサ（ＤＥＭＵＸ）
４    ＡＶデコーダ
５    映像処理回路
６    音声処理回路
１１  ＣＰＵ
１２  ＧＰＳ受信回路
１３  ビーコン受信回路
１４  ＣＭデータメモリ
１５  店舗データメモリ
１６  リモコン送信機
１８  ＯＳＤ表示回路
２０  音声合成回路
【図１】
2004201343.tif 000003
【図２】
2004201343.tif 000004
【図３】
2004201343.tif 000005